(57)【要約】      （修正有）【課題】使用しない場合に、粘着材が露出した部分は、スライダーによって覆われるため、粘着材が不用意に他のものについてしまうという心配がなく、使用にあたって、被粘着面の目標とする場所に、スライダーの下部端面をあてて押すため、容器が非粘着面に対してとる角度がきまり、転写の確実性が向上する。【解決手段】露出したテープ２０、ローラー９を覆う壁４ｅを有し、上方向にスライドして、退避するスライダー４を備え、かつそのスライドに際して、供給リールを蹴りあげることで、短い長さを繰り出すようにした。【選択図】図７
0003137300.tif 000002
【実用新案登録請求の範囲】
【請求項１】
粘着材が塗布されたテープを被粘着面に押し当てるローラーを備え、前記ローラーが前記テープを収納している容器の外に露出している粘着テープ転写具において、前記ローラー、前記テープの容器外に露出している部分を覆うように、配置されたスライダーを備え、前記ローラーが前記被粘着面に接触可能になるよう、前記スライダーは退避可能で、前記スライダーの前記退避方向への移動により、前記テープが巻かれている供給リ−ル若しくは前記テープが巻き取られる巻取リールを回動させることを特徴とする粘着テープ転写具。
【考案の詳細な説明】
【技術分野】
【０００１】本考案は、粘着材が塗布されたロール状のテープを用い、粘着材を札手（たとえば封筒の蓋）に塗布するための、粘着テープ転写具に関するものである。
【背景技術】
【０００２】図２、図１０を参照して、従来の粘着テープ転写具の一例について説明する。図２は容器３内の構成を示すもので、テープ１１は供給リール５に巻かれており、テープの一端は、パス１；２０ａを経て図１０に示すローラー９を回り、パス２；２０ｂを経てテープの反対側に付着し、さらに上に上がって、巻取リール７に留められている。
図示反対面に供給ギア、巻取ギアが、それぞれ供給リール、巻取リールと同軸に配置され、粘着材が被粘着面に移行したあとのテープ２０は、巻取リールに巻き取られる。図１０に示すごとく、ローラー９とテープのパス２０ａ，２０ｂは、容器３の外の露出している。使用に際しては、被粘着面３にローラー９を当てつけて、そのままの姿勢で手前に引くとローラー９により粘着材が被粘着面に転写される。
【考案の開示】
【考案が解決しようとする課題】
【０００３】ところで上記の従来例では、使用上二つの欠点がある。
そのひとつは、粘着材のついたテープが露出しており、使用しない時は、キャップをかぶせて、粘着材が不用意につかないようにしなければならない。
使用の前後にキャップを着脱することが必要で、煩雑である。
ふたつめの欠点は、ローラー９を被粘着面３に押し付けるために、ある程度の力を必要とし、また力をかけた状態を保って手前に引くため、短い長さの転写が難しいことである。
【課題を解決するための手段】
【０００４】本考案は、前記の二つの欠点を、簡単な構造、構成で解決するものである。露出したテープ２０、ローラー９を覆う壁４ｅを有し、上方向にスライドして、退避するスライダーを備え、かつそのスライドに際して、供給リールを蹴りあげることで、短い長さを繰り出すようにしたものである。
【考案の効果】本考案によれば、以下の利便性をえられる。【０００５】ひとつめは、使用しない場合に、粘着材が露出した部分は、スライダーによって覆われるため、粘着材が不用意に他のものについてしまうという心配がない。
ふたつめは、使用にあたって、被粘着面の目標とする場所に、スライダーの下部端面をあてて押すため、容器が非粘着面にたいしてとる角度がきまり、転写の確実性が向上する。
三つ目は、スライダーの回避動作でテープを送るので、そのまま押すだけで、短い長さの転写が可能であり、またこの使い方では、反復動作が可能である。
【考案を実施するための最良の形態】
【０００６】図１〜図９を参照して説明する。
図１に示すように、常にはスライダー４が一番下にある状態で、ローラー９、テープ２０のパス１；２０ａ、パス２；２０ｂを覆い、粘着材が不用意につかないように保護している。使用に際して、スライダー４の壁４ｅの下端を被粘着面に押し付けそのまま力を加えてストロークＳ１分下に押し下げると、図６にしめすごとく、スライダー４が上方向に動いて、ローラー９を被粘着面に接触させることが可能になる。
図５、図６にしめすごとく、スライダー４が上方向に動くと、その送り爪４ｂで供給ギア６と一体に形成されたラチェット歯面６ａを、蹴り上げて矢印Ｔ１方向に回動させ、テープ１１を矢印Ｔ２方向に送る。
また、ローラー９を被粘着面から離して、容器３を持ち上げると、スライドバネ１３によって、初期の位置まで、スライダー４が下げられる。
そのとき、スライダー４の送り爪４ｂは弾性変形して、供給ギア６のラチェット歯面６ａを滑るため、供給ギアを送らない。
ローラー９がその弾性で被粘着面に接する長さ（図６における寸法４．３）であれば手前にひくことなく、押すだけで転写可能である。この構成により、ローラー９にかかっているテープ２０には必ず粘着材のついた部分が供給されるため、短い転写は押すだけで、常に可能である。
図７、図８に示すごとく、スライダー４をさらに上にストロークＳ２分動かすと、ロックレバー１０によって、その位置が保持されて、ローラー９は露出した状態になり、ローラー９を被粘着面３０に押し付けながら、手前に引くことが可能である。
【実施例】
【０００７】図１〜図９を参照して実施例を説明する。
手に持たれる形状をした容器３は、ベース１とカバー２からなる。
ベース１は、軸１ａ，１ｂ，１ｃ、ラチェット爪１ｄ、ガイドボス１ｅ、バネかけ１ｆの各部を有している。
供給ギア６はベース１の軸１ｂを中心として回転可能で、その回転は供給リール５に伝えられる。また供給ギア６にはラチェット歯面６ａが形成されている。
供給リール５と供給ギア６の間にフリクションギア１２がはいり、供給リール５と供給ギア６はスリップ可能に構成される。
巻取ギア８はベース１の軸１ｃを中心として回転可能で、その回転は巻取リール７に伝えられる。
ローラー９はベース１の軸１ｃに嵌められ、回転可能である。
スライダー４はベース１のガイドボス１ｅにはまるガイド穴４ａ、供給ギア６のラチェット歯面に作用する送り爪４ｂ、ベース１のバネ掛け１ｆとの間で張られるバネ掛け４ｃ、ロック穴４ｄ、左右の対称一対の壁４ｅ、つなぎの部分４ｅを有する。
ベース１の背面に配置されるロックレバー１０は、その軸１０ａで回動可能に支持され、ロックバネ１１によりロック爪１０ｂを、スライダー４のロック穴４ｄに落としいれる。
テープ２０は、供給リール５に巻かれ、パス１；２０ａ、パス２；２０ｂを経て、巻上リール７にその先端を留められる。
本考案の実施例では供給リール６にラチェット歯面６ａが形成されているが、他の実施例として、巻取リールにラチェット歯面を形成してもよい。その場合、供給ギア６と巻取ギア８の間にアイドルギアを配置し、巻取ギア８の回転方向を逆にする必要があるのは、言うまでもない。
【産業状の利用可能性】
【０００８】以上の考案によれば、転写具の利用時、キャップ着脱が不必要で、短い長さも、長い連続した長さも簡単に転写可能であり、非粘着面の種類に応じて使い方を選択可能である。多大の便利性を有し、粘着テープ転写具の使われる範囲、頻度を拡大するものである。
【図面の簡単な説明】
【０００９】
【図１】本考案の転写具の斜視図である。
【図２】本考案のカバー２を外した状態の平面図である。
【図３】図１のＸＸ断面図である。
【図４】図１のＹＹ断面図である。
【図５】図４のＳＳ断面図である。
【図６】図４のＳＳ断面図で、スライダーの回避動作後をしめす。
【図７】図４のＳＳ断面図で、スライダーが上がりきった状態をしめす。
【図８】スライダーが上がりきった状態の背面図である。
【図９】図１のＹＹ断面図の一部で、スライダーが上がりきった状態をしめす。
【図１０】従来例の使われている状態をしめす図である。
【符号の説明】
【００１０】  １  ベース  １ａ，１ｂ，１ｃ軸  １ｄラチェット爪  １ｅガイドボス
２  カバー
３  容器
４  スライダー  ４ａガイド穴  ４ｂ送り爪  ４ｃバネ掛け  ４ｄロック穴  ４ｅ壁
５  供給リール
６  供給ギア  ６ａラチェット歯面
７  巻取リール
８  巻取ギア
９  ローラー
１０  ロックレバー  １０ａ軸  １０ｂロック爪
１１  ロックバネ
１２  フリクションバネ
１３  スライドバネ
２０  テープ  ２０ａパス１  ２０ｂパス２
３０  非粘着面
Ｓ１、Ｓ２  ストローク
Ｔ１  回転方向
Ｔ２  送り方向
【図１】
0003137300.tif 000003
【図２】
0003137300.tif 000004
【図３】
0003137300.tif 000005
【図４】
0003137300.tif 000006
【図５】
0003137300.tif 000007
【図７】
0003137300.tif 000008
【図１０】
0003137300.tif 000009
【手続補正書】
【提出日】平成19年9月10日(2007.9.10)
【手続補正２】
【補正対象書類名】明細書
【補正対象項目名】全文
【補正方法】変更
【補正の内容】
【考案の詳細な説明】
【技術分野】
【０００１】本考案は、粘着材が塗布されたロール状のテープを用い、粘着材を相手（たとえば封筒の蓋）に塗布するための、粘着テープ転写具に関するものである。
【背景技術】
【０００２】図７、図８を参照して、従来の粘着テープ転写具の一例について説明する。図８は全体の構成を示すもので、テープ２０は供給リール５に巻かれており、テープの一端は、パス１；２０ａを経てローラー９を回り、パス２；２０ｂを経てテープの反対側に付着し、さらに上に上がって、巻取リール７に留められている。
図示反対面に供給ギア６が供給リール５と同軸に、また背後に隠れて見えないが巻取ギア８が巻取リール７と同軸に配置され、粘着材が被粘着面に移行したあとのテープ２０は、巻取リールに巻き取られる。図７に示すごとく、ローラー９とテープ２０のパス１；２０ａ，パス２；２０ｂは、容器３の外の露出している。使用に際しては、被粘着面３０にローラー９を当てつけて、そのままの姿勢で手前に引くとローラー９により粘着材が被粘着面に転写される。
【考案の開示】
【考案が解決しようとする課題】
【０００３】ところで上記の従来例では、使用上二つの欠点がある。
そのひとつは、粘着材のついたテープが露出しており、使用しない時は、キャップをかぶせて、粘着材が不用意につかないようにしなければならない。
使用の前後にキャップを着脱することが必要で、煩雑である。
ふたつめの欠点は、ローラー９を被粘着面３０に押し付けるために、ある程度の力を必要とし、また力をかけた状態を保って手前に引くため、短い長さの転写が難しいことである。
【課題を解決するための手段】
【０００４】本考案は、前記の二つの欠点を、簡単な構造、構成で解決するものである。露出したテープ２０のパス；１ａ，パス２；２０ｂ，ローラー９を覆う壁４ｅを有し、上方向にスライドして、退避するスライダーを備え、かつそのスライドに際して供給リールを蹴りあげることで、短い長さを繰り出すようにしたものである。
【考案の効果】本考案によれば、以下の利便性をえられる。【０００５】ひとつめは、使用しない場合に、粘着材が露出した部分は、スライダーによって覆われるため、粘着材が不用意に他のものについてしまうという心配がない。
ふたつめは、使用にあたって、被粘着面の目標とする場所に、スライダーの下部端面をあてて押すため、容器が非粘着面にたいしてとる角度がきまり、転写の確実性が向上する。
三つ目は、スライダーの回避動作でテープを送るので、そのまま押すだけで、短い長さの転写が可能であり、またこの使い方では、反復動作が可能である。
【考案を実施するための最良の形態】
【０００６】図１〜図６を参照して説明する。
図１に示すように、常にはスライダー４が一番下にある状態で、図４のスライダー４の作動前（左図）に示すように、ローラー９とその前後のテープ２０のパス１；２０ａとパス２；２０ｂは、スライダー４の壁４ｅによって覆われている。
使用に際して、スライダー４の壁４ｅの下端を被粘着面３０に押し付けそのまま力を加えてストロークＳ１分下に押し下げると、図４の右図にしめすごとく、  スライダー４が上方向に動いて、ローラー９を被粘着面に接触させることが可能になる。スライダー４が上方向に動くと、その送り爪４ｂで供給ギア６と一体に形成されたラチェット歯面６ａを、蹴り上げて矢印Ｔ１方向に回動させ、テープ１１を矢印Ｔ２方向に送る。
また、ローラー９を被粘着面３０から離して、容器３を持ち上げると、スライドバネ１３によって、初期の位置まで、スライダー４が下げられる。
そのとき、スライダー４の送り爪４ｂは弾性変形して、供給ギア６のラチェット歯面６ａを滑るため、供給ギアを送らない。
ローラー９がその弾性で被粘着面３０に接する長さ（図４における寸法４．３）であれば手前にひくことなく、押すだけで転写可能である。この構成により、ローラー９の直下には必ず粘着材のついたテープ２０の部分が供給されるため、短い転写は押すだけで、常に可能である。
図５に示すごとく、スライダー４をさらに上にストロークＳ２分動かすと、ロックレバー１０によって、その位置が保持されて、ローラー９は露出した状態になり、ローラー９を被粘着面３０に押し付けながら、手前に引くことが可能である。
【実施例】
【０００７】図１〜図６を参照して実施例を説明する。
手に持たれる形状をした容器３は、ベース１とカバー２からなる。
ベース１は、軸１ａ，１ｂ，１ｃ、ラチェット爪１ｄ、ガイドボス１ｅ、バネかけ１ｆの各部を有している。
供給ギア６はベース１の軸１ｂを中心として回転可能で、その回転は供給リール５に伝えられる。また供給ギア６にはラチェット歯面６ａが形成されている。
供給リール５と供給ギア６の間にフリクションバネ１２がはいり、供給リール５と供給ギア６はスリップ可能に構成される。
巻取ギア８はベース１の軸１ｃを中心として回転可能で、その回転は巻取リール７に伝えられる。
ローラー９はベース１の軸１ｃに嵌められ、回転可能である。
スライダー４はベース１のガイドボス１ｅにはまるガイド穴４ａ、供給ギア６のラチェット歯面に作用する送り爪４ｂ、ベース１のバネ掛け１ｆとの間で張られるバネ掛け４ｃ、ロック穴４ｄ、左右の対称一対の壁４ｅ、つなぎの部分４ｅを有する。
ベース１の背面に配置されるロックレバー１０は、その軸１０ａで回動可能に支持され、ロックバネ１１によりロック爪１０ｂを、スライダー４のロック穴４ｄに落としいれる。
テープ２０は、供給リール５に巻かれ、パス１；２０ａ、パス２；２０ｂを経て、巻上リール７にその先端を留められる。
本考案の実施例では供給リール６にラチェット歯面６ａが形成されているが、他の実施例として、巻取リールにラチェット歯面を形成してもよい。その場合、供給ギア６と巻取ギア８の間にアイドルギアを配置し、巻取ギア８の回転方向を逆にする必要があるのは、言うまでもない。
【産業状の利用可能性】
【０００８】以上の考案によれば、転写具の利用時、キャップ着脱が不必要で、短い長さも、長い連続した長さも簡単に転写可能であり、非粘着面の種類に応じて使い方を選択可能である。多大の便利性を有し、粘着テープ転写具の使われる範囲、頻度を拡大するものである。
【図面の簡単な説明】
【０００９】
【図１】本考案の転写具の斜視図である。
【図２】図１のＸＸ断面図である。
【図３】図１のＹＹ断面図である。
【図４】図３のＳＳ断面図でスライダーの作動前およびストロークＳ１作動後をしめす。
【図５】図３のＳＳ断面図、及び背面図で、スライダーのストロークＳ２作動後をしめす。
【図６】図５のＺＺ断面図である。
【図７】従来例の使用状態を示す図である。
【図８】従来例のカバーを外した状態の平面図である。
【符号の説明】
【００１０】１  ベース  １ａ，１ｂ，１ｃ  軸  １ｄ  ラチェット爪  １ｅ  ガイドボス
２  カバー
３  容器
４  スライダー  ４ａ  ガイド穴  ４ｂ  送り爪  ４ｃ  バネ掛け  ４ｄ  ロック穴  ４ｅ  壁
５  供給リール
６  供給ギア  ６ａ  ラチェット歯面
７  巻取リール
８  巻取ギア
９  ローラー
１０  ロックレバー  １０ａ  軸  １０ｂ  ロック爪
１１  ロックバネ
１２  フリクションバネ
１３  スライドバネ
２０  テープ  ２０ａ  パス１    ２０ｂ  パス２
３０  非粘着面
Ｓ１、Ｓ２  ストローク
Ｔ１  回転方向
Ｔ２  送り方向
【手続補正３】
【補正対象書類名】図面
【補正対象項目名】全図
【補正方法】変更
【補正の内容】
【図１】
0003137300.tif 000010
【図２】
0003137300.tif 000011
【図３】
0003137300.tif 000012
【図４】
0003137300.tif 000013
【図５】
0003137300.tif 000014
【図６】
0003137300.tif 000015
【図７】
0003137300.tif 000016
【図８】
0003137300.tif 000017